(57)【特許請求の範囲】
【請求項１】
定電流交流電源の出力電流を入力し、光源の調光比に応じた電流を光源に出力する点灯回路と；
定電流交流電源の前記出力電流を検出する電流検出回路と；
互いに異なる定電流交流電源の前記出力電流と光源の調光比との対応関係を示す複数のテーブルデータおよび定電流交流電源の所定の出力期間毎の異なる出力電流の組合せパターンデータを有し、この組合せパターンデータの所定の出力期間毎の各出力電流を、組合せパターンの出力電流値を認識してから当該所定の出力期間よりも短い期間の判断期間に亘って判断するとともに、当該判断期間の終了時点から次の出力電流に対する判断を開始し、定電流交流電源から出力される出力電流パターンが前記組合せパターンデータに合致するときに前記組合せパターンデータに応じて前記複数のテーブルデータのうちの一を設定する切換回路と；
前記電流検出回路が検出する出力電流に応じて光源の調光比が前記切換回路で設定されたテーブルデータに対応する調光比となるように前記点灯回路を制御する制御回路と；
を具備していることを特徴とする点灯装置。
【請求項２】
前記切換回路は、定電流交流電源から出力される出力電流パターンが前記組合せパターンデータに合致する毎に、前記複数のテーブルデータのうちの一を順次設定する
ことを特徴とする請求項１記載の点灯装置。
【請求項３】
請求項１または２記載の点灯装置と；
この点灯装置により点灯制御される光源と；
少なくとも前記光源を有する灯体と；
を具備していることを特徴とする標識灯。
【発明の詳細な説明】
【技術分野】
【０００１】
本発明の実施形態は、交流電源の出力電流に応じて光源を調光制御する点灯装置およびこの点灯装置を備える標識灯に関する。
【背景技術】
【０００２】
例えば、航空標識灯は、定電流交流電源の切換タップ１〜５の切り換えによって出力される出力電流に応じて、光源を１００％、２５％、５％、１％および０．２％の５段階の調光比に制御できるように構成されている。そして、航空標識灯は、光源として低消費電力および長寿命であり、各種の色光が得られるＬＥＤを用いたＬＥＤ式標識灯が既設の白熱式標識灯に対して入れ替えられている。  
【０００３】
しかしながら、空港においては、既設の白熱式標識灯をＬＥＤ式標識灯に順次入れ替えている。このため、全ての入れ替えが完了するまでの期間、同じ滑走路などに白熱式標識灯とＬＥＤ式標識灯とが混在している。航空標識灯は、現今、定電流交流電源の出力電流と光源の調光比との対応関係が図２の表１のテーブルデータに示すようになっている。ＬＥＤ式標識灯は、ＬＥＤの電流に対する光出力特性が白熱ランプと大きく異なるために、ＬＥＤを点灯制御する点灯装置を設けている。  
【０００４】
ところで、航空標識灯は、定電流交流電源から数ｋｍに亘る配線長で直列接続されている。そして、定電流交流電源に接続されている全ての白熱式標識灯がＬＥＤ式標識灯に入れ替わった後に、上述の調光比に対応する定電流交流電源の出力電流を例えば図２の表２のテーブルデータに示すように低減することが検討されている。出力電流の低下によって、数ｋｍに亘る配線による消費電力（配線ロス）が低減されることになる。  
【０００５】
そして、ＬＥＤ式標識灯は、例えば図２の表１および表２に示す両方のテーブルデータを備えて、定電流交流電源の出力電流の切り替えに対応可能としている。例えば、定電流交流電源は、テーブルデータを切り換えるための切換信号を出力し、ＬＥＤ式標識灯は、給電ラインを通じて入力される切換信号を検出することにより、テーブルデータを切り換えるように構成されているものがある（例えば特許文献１参照。）。ここで、切換信号は、例えば、予め設定された一定期間内に切換タップ１〜５の電流値に順次切り換えることによるパターンを用いることができる。
【先行技術文献】
【特許文献】
【０００６】
【特許文献１】特開２０１４−６０１２８号公報（第５頁、第１，２図）
【発明の概要】
【発明が解決しようとする課題】
【０００７】
定電流交流電源の電源ラインは、大きな配線長であり、多数のＬＥＤ式標識灯を接続する。そして、定電流交流電源の出力電流は、切換タップの切り換え後においては、安定するまでにそれなりの時間を要する。これにより、定電流交流電源の切換タップの順次切り換えによるパターンの切換信号が不安定であったり、短時間であると、ＬＥＤ式標識灯によっては、切換信号のパターンを検出することができず、切換信号を認識することができないおそれがある。
【０００８】
本発明の実施形態は、テーブルデータの切換において、定電流交流電源から出力される出力電流パターンの切換信号が精度よく認識される点灯装置およびこの点灯装置を備える標識灯を提供することを目的とする。
【課題を解決するための手段】
【０００９】
本実施形態の点灯装置は、点灯回路、電流検出回路、切換回路および制御回路を有して構成される。  
【００１０】
点灯回路は、定電流交流電源からの出力電流を入力し、光源の調光比に応じた電流を光源に出力するように形成される。電流検出回路は、定電流交流電源の出力電流を検出する。  
【００１１】
切換回路は、互いに異なる定電流交流電源の出力電流と光源の調光比との対応関係を示す複数のテーブルデータと、定電流交流電源の所定の出力期間毎の異なる出力電流の組合せパターンデータとを有している。そして、組合せパターンデータの所定の出力期間毎の各出力電流を、組合せパターンの出力電流値を認識してから当該所定の出力期間よりも短い期間の判断期間に亘って判断するとともに、当該判断期間の終了時点から次の出力電流に対する判断を開始して認識する。そして、切換回路は、定電流交流電源から出力される出力電流パターンが組合せパターンデータに合致するときに、組合せパターンデータに応じて複数のテーブルデータのうちの一を設定する。
【００１２】
制御回路は、電流検出回路が検出する出力電流に応じて光源の調光比が切換回路で設定されたテーブルデータに対応する調光比となるように前記点灯回路を制御する。
【発明の効果】
【００１３】
本実施形態の点灯装置によれば、切換回路は、組合せパターンデータの所定の出力期間毎の各出力電流を、組合せパターンの出力電流値を認識してから所定の出力期間よりも短い期間の判断期間に亘って判断し、判断期間の終了時点から次の出力電流に対する判断を開始するので、定電流交流電源から出力される出力電流の出力期間と、出力電流を判断する判断期間とが容易に同期され、これにより、定電流交流電源から出力される出力電流パターンに対して組合せパターンデータを精度よく認識できることが期待できる。
【図面の簡単な説明】
【００１４】
【図１】本発明の一実施形態を示す点灯装置の概略回路図である。
【図２】同上、互いに異なるテーブルデータを示す説明図である。
【図３】同上、出力電流パターンに対する組合せパターンデータの判断を示すタイミング図である。
【発明を実施するための形態】
【００１５】
以下、本発明の一実施の形態について、図面を参照して説明する。  
【００１６】
本実施形態の点灯装置１は、例えば、飛行場の誘導路等に設置される灯体２に設けられた光源としてのＬＥＤ３を点灯制御するものであり、定電流交流電源としての定電流電源装置４から出力された定電流化された出力電流に応じてＬＥＤ３の調光比を可変する。点灯装置１は、点灯回路５、電流検出回路６、切換回路７および制御回路８を有して構成されている。  
【００１７】
点灯回路５は、ＬＥＤ３にＬＥＤ３の調光比に応じた電流が流れるように、定電流電源装置４の出力電流を調整するように形成されている。電流検出回路６は、点灯装置１に入力する定電流電源装置４の出力電流を検出するように形成されている。切換回路７は、定電流電源装置４の出力電流に対するＬＥＤ３の調光比の対応関係を複数のテーブルデータで記憶し、電流検出回路６が検出した出力電流の組合せパターンデータに応じて複数のテーブルデータのうちの一を設定するように形成されている。また、制御回路８は、電流検出回路６が検出する出力電流に応じて、ＬＥＤ３の調光比が切換回路７で設定されたテーブルデータに対応する調光比となるように点灯回路５を制御するように形成されている。  
【００１８】
定電流電源装置４の出力端には、直列的に接続された複数個のゴム被覆絶縁変圧器９（図１中、１個のみを示す。）が接続されている。定電流電源装置４は、不図示のタップ１〜５の切り換えにより、低レベルの出力電流（２．８Ａ）から最大の出力電流（６．６Ａ）を出力する。すなわち、図２の表１に示すように、タップ１からタップ５に順次切り換えると、２．８Ａ、３．４Ａ、４．１Ａ、５．２Ａおよび定格電流である６．６Ａの出力電流を順次出力するものである。ゴム被覆絶縁変圧器９は、定電流電源装置４の出力電流を例えば１０対１の電流比で減流するものが用いられている。ゴム被覆絶縁変圧器９により減流された出力電流は、点灯装置１に入力される。ゴム被覆絶縁変圧器９の出力端は、直列的に接続された整流回路１０の一次側、カレントトランス１１の一次巻線およびカレントトランス１２の一次巻線の間に接続されており、定電流電源装置４の出力電流は、整流回路１０、カレントトランス１１およびカレントトランス１２にそれぞれ流れる。  
【００１９】
整流回路１０に入力された出力電流は、整流回路１０により全波整流され、負荷調整回路１３により整流値が調整されて、平滑回路１４により一定値に平滑されて点灯回路５に入力（供給）される。点灯回路５は、入力電流をＬＥＤ３の調光比に応じた電流となるように調整してＬＥＤ３に出力する。  
【００２０】
カレントトランス１１に入力された出力電流は、整流回路１５により全波整流され、負荷調整回路１６により整流値が調整されて、平滑回路１７により一定値に平滑されてパルス変換回路１８に駆動電源として入力（供給）される。パルス変換回路１８は、点灯電流検出回路１９が検出したＬＥＤ３に流れる電流値を帰還制御回路１９から入力する。また、ＬＥＤ３に印加される電圧値を電圧検出回路２０から入力する。そして、入力した電流値および電圧値に基づいて、ＬＥＤ３に調光比に応じた定電流が流れるように、負荷調整回路１３を制御して整流回路１０の整流値を調整させるように形成されている。  
【００２１】
そして、カレントトランス１２に入力された出力電流は、電流検出回路６により検出され、レベル判定回路２１で出力電流値が判定される。切換回路７は、レベル判定回路２１で判定された出力電流値に応じてＬＥＤ３の調光比を選択して設定し、当該調光比の設定値をパルス回路２２に出力する。パルス回路２２は、設定値の調光比に応じたパルス信号を点灯回路５に出力する。そして、点灯回路５は、パルス信号に応じて、入力電流の例えば導通期間を調整して、ＬＥＤ３に調光比に応じた電流が流れるように制御する。  
【００２２】
切換回路７は、図２の表１に示すように、定電流電源装置４のタップ１〜５における出力電流とＬＥＤ３の調光比との対応関係を示すテーブルデータを有し、記憶している。以下、表１のテーブルデータを第１のテーブルデータと称する。第１のテーブルデータに示す出力電流と調光比の対応関係は、白熱式標識灯に対して設定されたものであり、点灯装置１は、ＬＥＤ３を出力電流に対する調光比で点灯可能に形成されている。タップ５における出力電流６．６Ａは、第１のテーブルデータでの定格電流であり、ＬＥＤ３の全光（１００％）に対応する出力電流である。  
【００２３】
また、切換回路７は、図２の表２に示すように、定電流電源装置４のタップ１〜５における第１のテーブルデータよりも低く設定された出力電流とＬＥＤ３の調光比との対応関係を示すテーブルデータを有し、記憶している。以下、表２のテーブルデータを第２のテーブルデータと称する。第２のテーブルデータは、白熱式標識灯が全てＬＥＤ式標識灯に置き換わった後、定電流電源装置４からのタップ１〜５における出力電流を低減させることに対応して設けられている。定電流電源装置４のタップ１〜５におけるＬＥＤ３の調光比は、変更しなく、第１のテーブルデータと同一となっている。タップ５における出力電流５．０Ａは、第２のテーブルデータにおける定格電流であり、ＬＥＤ３の全光（１００％）に対応する出力電流である。こうして、切換回路７は、本実施形態では、互いに異なる第１および第２のテーブルデータを有している。  
【００２４】
また、切換回路７は、例えば図３（ａ）に示すように、定電流電源装置４から出力される出力電流の組合せパターンデータを有し、記憶している。組合せパターンデータは、タップ１〜５の連続的な切り換えによるものであり、本実施形態では、定電流電源装置４から出力期間Ｔ１毎に所定回数例えば１０回に亘って出力される例えば２．８Ａ，４．１Ａ，３．４Ａ，５．２Ａ，３．４Ａ，…，３．４Ａ，６．６Ａ，２．８Ａの出力電流値からなっている。出力期間Ｔ１は、例えば１０秒とすることができる。  
【００２５】
そして、切換回路７は、組合せパターンデータの各出力電流を出力期間Ｔ１よりも短い期間の判断期間Ｔ２に亘って判断するとともに、判断期間Ｔ２の終了時点から組合せパターンデータの次の出力電流に対する判断を開始して出力電流を認識し、定電流電源装置４から出力される出力電流パターンが組合せパターンデータに合致（一致）するか否かを判定する。そして、定電流電源装置４から出力される出力電流パターンが組合せパターンデータに合致するときに、第１および第２のテーブルデータのうちの一を設定するように形成されている。  
【００２６】
本実施形態では、出力電流の組合せパターンデータは、上述の一つからなり、切換回路７は、定電流電源装置４から出力される出力電流パターンが組合せパターンデータに合致する毎に、第１および第２のテーブルデータのうちの一を順次設定するように形成されている。すなわち、出力電流パターンが組合せパターンデータに合致する毎に、第１のテーブルデータから第２のテーブルデータに設定し、または、第２のテーブルデータから第１のテーブルデータに設定する。  
【００２７】
制御回路８は、レベル判定回路２１、切換回路７、パルス回路２２、パルス変換回路１８および帰還制御回路１９などを有して形成されている。そして、制御回路８は、電流検出回路６が検出する出力電流に応じて、ＬＥＤ３の調光比が切換回路７で設定された第１または第２のテーブルデータに対応する調光比となるように点灯回路５を制御するとともに、ＬＥＤ３に当該調光比に応じた定電流が流れるように負荷調整回路１３を制御するように形成されている。  
【００２８】
点灯装置１により点灯制御されるＬＥＤ３は、灯体２に配設されている。本実施形態では、複数個の灯体２により標識灯２３が構成されている。灯体２のＬＥＤ３は、各灯体２に亘って直列接続されて、点灯装置１に接続されている。各灯体２のＬＥＤ３は、同等の定電流が流れて点灯する。  
【００２９】
また、定電流電源装置４は、主制御装置２４からの指令により、灯体２のＬＥＤ３を調光点灯させる出力電流を出力し、また、第１および第２のテーブルデータを切り換える切換信号としての出力電流パターンを出力する。  
【００３０】
次に、本実施形態の作用について説明する。  
【００３１】
主制御装置２４から灯体２のＬＥＤ３を調光点灯させる点灯指令が出力されると、定電流電源装置４から点灯指令に応じた出力電流が出力される。当該出力電流は、ゴム被覆絶縁変圧器９を介して点灯装置１の整流回路１０、カレントトランス１１およびカレントトランス１２に流れる。電流検出回路６は、カレントトランス１２に流れる電流から定電流電源装置４から出力された出力電流を検出する。出力電流は、レベル判定回路２１で電流値が判定されて切換回路７に入力される。  
【００３２】
切換回路７は、第１のテーブルデータから出力電流の電流値に応じたＬＥＤ３の調光比を選択して設定し、当該調光比の設定値をパルス回路２２に出力する。パルス回路２２は、設定値の調光比に応じたパルス信号を点灯回路５に出力する。点灯回路５は、パルス信号に応じて、ＬＥＤ３の調光比に応じた電流をＬＥＤ３に出力する。ＬＥＤ３は、設定された調光比で点灯し、所定色の可視光を放射する。こうして、点灯装置１は、定電流電源装置４から出力された出力電流に応じてＬＥＤ３を点灯制御する。  
【００３３】
そして、定電流電源装置４に対して点灯装置１およびＬＥＤ３は、負荷であるので、定電流電源装置４から出力された出力電流は、タップ１〜５の切り換えにより電流値が可変されると、点灯装置１の入力において、安定するまでに若干の時間を要している。  
【００３４】
そして、航空標識灯は、白熱式標識灯が全てＬＥＤ式標識灯に入れ替わった
後に、定電流電源装置４と点灯装置１および標識灯２３とを接続している配線の消費電力（配線ロス）を低減させるために、定電流電源装置４のタップ１〜５における出力電流を低減した出力電流に変更することが検討されている。ここで、定電流電源装置４のタップ１〜５における出力電流を変更したときに、切換回路７は、定電流電源装置４の出力電流に対して第１のテーブルデータに基づいてＬＥＤ３の調光比を設定すると、定電流電源装置４の出力電流に応じた調光比を設定することができない。例えば、定電流電源装置４のタップ４における４．５Ａの出力電流に対して、調光比２５％に設定しなければならないのに、第１のテーブルデータの調光比５％に設定してしまう。また、タップ５における５．０Ａの出力電流に対して、調光比１００％に設定しなければならないのに、第１のテーブルデータの調光比２５％に設定してしまうことになる。そこで、点灯装置１は、定電流電源装置４のタップ１〜５における出力電流が減流された出力電流に変更されるときに、現行の第１のテーブルデータから第２のテーブルデータに切り換えて設定する。  
【００３５】
主制御装置２４は、定電流電源装置４のタップ１〜５における出力電流が減流された出力電流に変更されるときに、点灯装置１において第１のテーブルデータから第２のテーブルデータに切り換える切換指令を定電流電源装置４に出力する。定電流電源装置４は、切換指令に基づいて、図３（ａ）に示す出力電流パターンが形成されるように、タップ１〜５を出力期間Ｔ１（例えば１０秒）毎に順次切り換える。これにより、定電流電源装置４から例えば２．８Ａ，４．１Ａ，３．４Ａ，５．２Ａ，３．４Ａ，…，３．４Ａ，６．６Ａ，２．８Ａの出力電流が出力される。  
【００３６】
定電流電源装置４から出力された出力電流は、点灯装置１において、電流検出回路６により検出され、レベル判定回路２１で出力電流値が判定されて切換回路７に入力される。切換回路７は、入力した出力電流値が出力電流の組合せパターンデータに合致するか否かを判断期間Ｔ２に亘って判断する。ここで、判断期間Ｔ２は、定電流電源装置４から出力された出力電流が点灯装置１に安定して入力している期間であり、出力電流の出力期間Ｔ１（例えば１０秒）よりも短い期間例えば８秒に設定されている。そして、出力電流値が判断期間Ｔ２に亘って判断されることにより、誤動作等による出力電流が排除され、組合せパターンデータの出力電流であるか否かの確実性が向上する。
【００３７】
切換回路７は、入力した出力電流値が出力電流の組合せパターンデータの先頭の電流値（２．８Ａ）であると認識すると、図３（ｂ）に示すように、判断期間Ｔ２の終了時点から組合せパターンデータの次の電流値（４．１Ａ）を比較電流値として設定し、定電流電源装置４から出力される出力電流の電流値が入力されるまで待機する。また、切換回路７は、入力した出力電流値が出力電流の組合せパターンデータの先頭の電流値（２．８Ａ）ではないと判断すると、定電流電源装置４からの出力電流が組合せパターンデータを形成するものではないとして、新たな出力電流値の入力に待機する。
【００３８】
切換回路７は、定電流電源装置４の出力電流値が入力すると、当該出力電流値が比較電流値（４．１Ａ）と一致するか否かを判断する。そして、出力電流値と比較電流値（４．１Ａ）が一致すると、出力電流値（４．１Ａ）を認識して、判断期間Ｔ２の終了時点から組合せパターンデータの次の電流値（３．４Ａ）を比較電流値として設定し、定電流電源装置４から出力される出力電流の電流値が入力されるまで待機する。出力電流値と比較電流値（４．１Ａ）が一致しないと判断すると、この時点で、定電流電源装置４からの出力電流が組合せパターンデータに合致しないとして、新たな出力電流値の入力に待機する。
【００３９】
以下、切換回路７は、順に、定電流電源装置４の出力電流値が組合せパターンデータの電流値３．４Ａ，５．２Ａ，３．４Ａ，…，３．４Ａ，６．６Ａ，２．８Ａに一致するか否かを判断し、一致すると出力電流値を認識し、一致しないと、この時点で定電流電源装置４からの出力電流が組合せパターンデータに合致しないとする。  
【００４０】
このように、切換回路７は、定電流電源装置４の出力電流値と、組合せパターンデータの電流値とを比較するに際して、出力電流値の認識後に、判断期間Ｔ２の終了時点から組合せパターンデータの次の電流値を待機させて、定電流電源装置４の出力電流値の入力を待っている。したがって、定電流電源装置４の出力電流の出力に同期して、出力電流値と組合せパターンデータの電流値とを比較することができる。すなわち、定電流電源装置４の出力電流の出力期間Ｔ１と、出力電流値と組合せパターンデータの電流値を安定して比較する判断期間Ｔ２とが同期する。これにより、切換回路７での比較制御が容易にかつ正確に行えて、出力電流値を組合せパターンデータとして認識する精度が向上する。
【００４１】
そして、切換回路７は、定電流電源装置４から出力された出力電流パターンが組合せパターンデータに合致すると判断すると、第１のテーブルデータから第２のテーブルデータに切り換えて設定し、以降、第２のテーブルデータに基づいてＬＥＤ３の調光比を選択して設定する。  
【００４２】
定電流電源装置４は、切換回路７において第２のテーブルデータが設定されると、タップ１〜５の切換により、図２の表２に示すように、それぞれ２．８Ａ〜５．０Ａ（定格電流）を出力する。切換回路７は、入力する出力電流値に応じて第２のテーブルデータから調光比を選択して設定する。点灯回路１９は、当該調光比に応じた電流をＬＥＤ３に出力して、ＬＥＤ３を点灯させる。  
【００４３】
本実施形態の点灯装置１によれば、切換回路７は、組合せパターンデータの各出力電流を定電流電源装置４から出力される出力電流の出力期間Ｔ１よりも短い期間の判断期間Ｔ２に亘って判断し、判断期間Ｔ２の終了時点から次の出力電流に対する判断を開始するので、定電流交流電源４から出力される出力電流の出力期間Ｔ１と、出力電流を判断する判断期間Ｔ２とが同期され、これにより、定電流交流電源４から出力される出力電流パターンと組合せパターンデータとを容易にかつ安定して比較することができて、出力電流パターンに対して組合せパターンデータを容易にかつ精度よく認識できるという効果を有する。  
【００４４】
また、切換回路７は、定電流電源装置４から出力される出力電流パターンが組合せパターンデータに合致する毎に、複数のテーブルデータのうちの一を順次設定するので、テーブルデータを切り換えるための切換信号を最小限にかつ簡素にできるという効果を有する。  
【００４５】
また、標識灯２３は、定電流電源装置４の出力電流が現行よりも低下された出力電流に変更されても、ＬＥＤ３を当該出力電流に対して変更前の調光比で点灯可能な点灯装置１を備えるので、新たな標識灯と交換する必要がないという効果を有する。  
【００４６】
なお、本実施形態において、切換回路７は、例えば、図３（ａ）に示す１個の出力電流の組合せパターンデータを用いたが、これに限らず、複数個の出力電流の組合せパターンデータを有していてもよい。そして、定電流電源装置４から複数個の組合せパターンデータの何れかとなる出力電流パターンの出力電流を出力させ、切換回路７は、出力電流パターンが複数個の組合せパターンデータの何れかに合致するときに、第１および第２のテーブルデータを順次切り換えて設定してもよい。また、複数個の組合せパターンデータと複数のテーブルデータを対応させて、定電流電源装置４から出力される出力電流パターンに合致する組合せパターンデータに応じて、複数のテーブルデータのうちの一を設定してもよい。また、出力電流パターンおよび組合せパターンデータの構成において、出力期間Ｔ１、判断期間Ｔ２および出力電流の所定回数は、適宜設定されればよい。また、テーブルデータは、演算式で有するものであってもよい。  
【００４７】
また、上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００４８】
１…点灯装置、  ２…灯体、  ３…光源としてのＬＥＤ、  ５…点灯回路、  ６…電流検出回路、  ７…切換回路、  ８…制御回路、  ２３…標識灯
【図１】
0006451948.tif 000002
【図２】
0006451948.tif 000003
【図３】
0006451948.tif 000004